(57)【要約】【課題】下水道管改築工事中の家庭からの下水の仮排水工法の電源として、商用電力ではなく、発電機による電源を用いて制御を可能とする、下水道管改築工事において使用する電源の制御方法である。【解決手段】下水道管の改築工事中、各家庭から出る下水を、一時、仮排水を行う際、各家庭の宅内桝３を利用して仮排水を行う工法に、真空制御ユニット１と、真空タンクユニット２及びパスカルバルブ９を設け、真空制御ユニットと真空タンクユニットのコンパクト化を図り、歩道に設置可能にし、特に中小規模工事の仮排水工法に必要不可欠な盛り替えのし易さを一層向上させるために下水道管改築工事中における家庭からの下水の仮排水において、使用する電源を、商用電力に代わり発電機４を用い、該発電機の運転をユニットの稼働状態に応じて運転・停止させることを特徴とする下水道管改築工事において使用する電源の制御方法。【選択図】    図２
2014141780.tif 000002
【特許請求の範囲】
【請求項１】
下水道管の改築工事中、各家庭から出る下水を、一時、仮排水を行う際、各家庭の宅内桝を利用して仮排水を行う工法であって、中小規模工事に対応するためにシステムの小型化を図り、歩道に設置可能にし、又、盛り替えを容易にするために下水道管改築工事中における家庭からの下水の仮排水工法において、
使用する電源を、商用電力に代わり発電機を用い、該発電機の運転をユニットの稼働状態に応じて運転・停止させること
を特徴とする下水道管改築工事において使用する電源の制御方法。
【請求項２】
発電機において、該発電機の稼働のタイミングで１００Ｖ電源をバッテリー充電にあて、
該発電機停止中には１００Ｖ電源を、バッテリーから制御盤経由でユニットに供給する  ことを特徴とする請求項１記載の下水道管改築工事において使用する電源の制御方法。  
【請求項３】
前記下水道管改築工事中の家庭からの下水の仮排水工法における制御方法において、
真空状態の監視制御のシーケンサー等に使用する常時必要な１００Ｖ電源と、
真空ポンプ及び排送ポンプに使用する常時必要でない２００Ｖ電源に対して、
該２００Ｖ電源が必要なときのみ発電機をＯＮ・ＯＦＦ機能の付加した
ことを特徴とする請求項１記載の下水道管改築工事において使用する電源の制御方法。  
【請求項４】
使用する２００Ｖと１００Ｖの電源を取ることが可能な発電機において、
１００Ｖの電源に、蓄電池（バッテリー）と制御盤を、制御ラインに加えて常時１００Ｖを確保することを特徴とする請求項２記載の下水道管改築工事において使用する電源の制御方法。
【請求項５】
使用する２００Ｖと１００Ｖの電源を取ることが可能な発電機において、
２００Ｖの電源は、ポンプの稼働タイミングで発電機を制御盤経由で稼働させ、
駆動系のユニットに電源供給し、又ポンプが停止した時点で制御盤経由で発電機を停止し、２００Ｖの電源の供給をストップすることを特徴とする請求項２または３記載の下水道管改築工事において使用する電源の制御方法。
【発明の詳細な説明】
【技術分野】
【０００１】
この発明は、マルチＶ工法（パスカルＪｒ．）の電源として発電機を採用して、該発電機の運転をユニットの稼働状況に応じて運転・停止させる全く新規な下水道管改築工事において使用する電源の制御方法に関するものである。
【背景技術】
【０００２】
従来、耐用年数を経過した下水道管を、新規な下水道管と取り替え工事や、各種災害（震災・水害・台風等）により損傷や補修する工事（以下、単に、改築工事という。）を必要とする下水道管は、それらの工事期間中は、各家庭から毎日のように排出される汚水（以下、下水という。）が、下水道管に流れ込まないよう一時停止させ、ドライな状態で施工可能とし、環境・衛生を確保するため下水の仮の排水手段を設ける必要がある。
【０００３】
しかしながら、各家庭からの下水は、通常、毎日のように排出されるものであり、下水道管改築工事中といえども、各家庭からの排出を停止するわけにはいかず、そのため、別に排水ルートを設け仮排水をするという二次的な工事もする必要があった。
【０００４】
しかも、改築工事の対象となる下水道管の近傍には、該下水道管を利用して排水する家庭が、相当の戸数が存在するものであり、これらの各家庭からの下水を一気に全部停止することは、非常に困難である。
【０００５】
このように、改築工事というメインの工事と、仮排水という二次的な工事もする必要があり、複雑化しており、従来の工法は、工事に必須の装置として、真空タンクを内蔵した真空装置ユニット、排水桝（以下、宅内桝という）からの排出装置、改築工事の対象となる下水道管の前後を止水する止水プラグ、そして自動警報装置を有している。
【０００６】
また、従来工法の駆動源としては、真空圧・圧縮圧・電気の３つが必要であり、さらに各家庭に設置された宅内桝からの排出装置にすべて駆動源が必要であり、真空装置ユニットに組み込まれている制御装置はすべて制御が必要である。
【０００７】
さらに駆動源である真空圧・圧縮圧・電気は、常時稼働状態の制御方式となっており、異常時の対応は、通信ケーブルを使用した優先方式であり、電話回線を必要としている。電源は商業電力を活用している。大規模開削工事や仮排水工事には、工事が長期間に渡るため商業電力の活用が望ましい。
【０００８】
然しながら現状では、一般的には中小規模の開削工事や仮排水工事がかなりの割合を占めている。それにも係わらず、大規模対応の商業電力で行っているのが現状である。そのため盛り替えの回数が多くなる上に、その都度２００Ｖを降ろす必要があり、申請許可と配電盤の設置等で多くの時間とコストをかけているのが実情であった。
【０００９】
以上の事より、現状を整理すると、従来工法には以下のような問題点があった。
１）  中小規模の開削や仮排水工事に小型化した工法がないため、大規模対応の工法での対応をしているために必然的に工事金額が高くなる傾向があった。
２）  中小規模工事が可なりの割合を占めるため、盛り替えの回数が多くなるにもかかわらず、商業電力での対応をしており、２００Ｖを降ろすために申請許可と配電盤の設置等に時間とコストが大幅に増大する。
３）  中小規模の工事に大規模対応の工法を採用しているため、工法の占有面積が大きくなり地域住民に不都合・不便を惹起したり、交通渋滞を来していたのが現状であった。  ４）  真空ポンプ及び排出ポンプ及び制御系に対しても常時２００Ｖ及び１００Ｖの電力が供給されており、そのための電力量も非常に大きく、必然的に運転コストも高くなる。
【発明の概要】
【発明が解決しようとする課題】
【００１０】
そこで、この発明が解決しようとする課題は、工事市場が多い中小規模の開削工事や仮排水工事に対応した，小型で歩道に設置可能でしかも盛り替えのし易さを可能にするために、従来の工法を改良し、供用されている下水道管を仮排水することにより、下水道管の入れ替えや補修をドライな状態で施工を可能にする「下水道管改築工事中の家庭からの下水の仮排水工法」の電源として、商用電力ではなく、発電機による電源を用いて制御を可能とする、下水道管改築工事において使用する電源の制御方法である。
【００１１】
尚、この発明は、前記「下水道管改築工事中の家庭からの下水の仮排水工法」として、本願出願人が発明し、特許出願（特願２０１２−１４９１３６号）された，各家庭の宅内枡対応が８０軒位の対応型の施工方法〔以下、マルチＶ工法（パスカル君）という〕と、この工法・装置を、小型化して、盛り替えのし易さを追求した各家庭の宅内枡対応が１０軒以上程度の対応型の施工方法〔以下、マルチＶ工法（パスカルＪｒ．）という〕の２機種の工法を開発しているが、この発明は、後者のマルチＶ工法（パスカルＪｒ．）の電源として発電機を採用して発電機の運転をユニットの稼働状況に応じて運転・停止させる全く新規な下水道管改築工事において使用する電源の制御方法である。
【課題を解決するための手段】
【００１２】
この発明は、小型化したマルチＶ工法（パスカルＪｒ．）に対応し、ユニットは駆動系が２００Ｖで制御系は１００Ｖで稼働しており、発電機の運転をユニットの稼働状況に応じて運転・停止させる全く新規な制御方法であり、この制御法により汚水排水時の真空ポンプ及び排出ポンプ作動音及び発電機に伴う騒音時間の大幅な短縮と発電機駆動に必要なエネルギー（ガソリン）の大幅な低減を可能とする新規な制御方法である。
【発明の効果】
【００１３】
この発明によると、マルチＶ工法（パスカルＪｒ．）のユニットは駆動系が２００Ｖで、制御系は１００Ｖで稼働しているため、発電機の運転をユニットの稼働状況に応じて運転・停止することができ、汚水排水時の真空ポンプ及び排出ポンプ作動音及び発電機に伴う騒音時間の大幅な短縮および発電機駆動に必要なエネルギー（ガソリン）の大幅な低減が可能となるとの有益なる効果を奏する。
【００１４】
さらに、真空制御ユニット・真空タンクユニット・パスカルバルブから構成されているこの工法の電源は、商業電力を活用していたが、頻繁に盛り替えするためには発電機の使用が望ましく、各ユニットは駆動系で２００Ｖ、制御系と１００Ｖで稼働し、１００Ｖは各種制御用に使用し、常時必要な電源であり、一方、２００Ｖは各種ユニットに搭載されており、常時、必要とはしないため、発電機の運転をユニットの稼働状況に応じて運転・停止させることにより、従来の使用する際、２００Ｖを降ろすためには申請許可と配電盤の設置等の時間とコストがかかるが、電源を商用電力から発電機に変更して使用することにより、期間とコストの大幅な節減が可能となる等の効果を奏する。
【図面の簡単な説明】
【００１５】
【図１】この発明である下水道の仮排水システムの一実施例を示し、（ａ）は、作動前の説明図であり、（ｂ）は作動後の説明図である。
【図２】この発明の制御システムの一実施例を示すフローシート図である。
【図３】この発明の使用状態の一実施例を示す説明図である。
【発明を実施するための形態】
【００１６】
以下、この発明の好適な実施の形態として詳細に説明する。尚、この発明においては、以下の記述に限定されるものではなく、この発明の要旨を逸脱しない範囲においては適宜変更可能である。
【００１７】
本発明はマルチＶ工法（パスカルＪｒ．）の電源として発電機を採用して、発電機の運転をユニットの稼働状態に応じて運転・停止させる下水道管改築工事において使用する電源の制御方法であり、マルチＶ工法について、先ず、説明すると、マルチＶ工法（パスカルＪｒ．）とは、供用されている下水道管を本工法で下水を仮排水することにより、下水道管より生ずる、下水道管損傷に伴う各家庭の宅内枡の汚水を環境・衛生を確保するために各家庭より生きている下水道管に排出することを可能にした工法をいう。
【実施例】
【００１８】
そして、この方法の発明に使用する装置の一実施例を図面に基づいて説明すると、下水道管の改築工事中、各家庭から出る下水を、一時、仮排水を行う際、各家庭の宅内桝を利用して仮排水を行う工法であって、真空制御ユニット（１）と、真空タンクユニット（２）とをそれぞれ別個に設け、該真空タンクユニット（２）を増設することを可能にした。  下水道改築工事中における各家庭からの宅内桝（３）からの下水の仮排水工法において、使用する電源を、商用電力に代わり発電機（４）を用い、該発電機（４）の運転を各ユニットの稼働状態に応じて運転・停止させることを特徴とする下水道管改築工事において使用する電源の制御方法から構成されるものである。
【００１９】
即ち，下水道管改築工事中の家庭からの下水の仮排水工法は、下水道の本管（Ｘ）と各家庭の宅内枡（３）の止水を行い、下水道本管（Ｘ）の汚水を上流から下流に流すと共に、各家庭からの宅内枡（３）に溜まった汚水を適宜吸い上げて下流側に流し、施工区間をドライな状態にする工法である。該工法は、中小規模の開削工事や仮排水工事に採用されることが多く、小型で歩道に設置可能で、現場での移動も頻繁なために盛り替えのし易さを追求したものである。
【００２０】
また、発電機において、該発電機（４）の稼働のタイミングで１００Ｖ電源をバッテリー充電にあて、該発電機（４）停止中には１００Ｖ電源を、バッテリー（５）から制御盤（６）経由で真空タンクユニット（２）に供給するものである。
【００２１】
そして、真空状態の監視制御のシーケンサー等に使用する常時必要な１００Ｖ電源と、真空ポンプ（７）及び排送ポンプ（８）に使用する常時必要でない２００Ｖ電源に対して、２００Ｖ電源が必要なときのみ発電機（４）をＯＮ・ＯＦＦ機能の付加したものである。
【００２２】
さらに、使用する２００Ｖと１００Ｖの電源を取るよう構成した発電機（４）において、１００Ｖの電源に、蓄電池（バッテリー）（５）と制御盤（６）を、制御ラインに加えて常時１００Ｖを確保することを特徴とするものである。
【００２３】
使用する２００Ｖと１００Ｖの電源を取ることは可能な発電機（４）において、２００Ｖの電源は、ポンプ（７）の稼働タイミングで発電機（４）を制御盤（６）経由で稼働させ、駆動系のユニットに電源供給し、又ポンプ（７）、（８）が停止した時点で制御盤（６）経由で発電機（４）を停止し、２００Ｖの電源の供給をストップするよう構成した下水道管改築工事において使用する電源の制御方法である。
【００２４】
また、真空制御ユニット・真空タンクユニット・パスカルバルブから構成されているが、特に真空制御ユニット及び真空タンクユニットの小型化を図り歩道への設置を可能とした。中小規模工事であり盛り替えのし易さが要求されるため、従来は電源として商業電力を活用していたが、発電機の採用により盛り替えを非常に容易にした。
【００２５】
また、真空装置ユニットには、負荷状況による駆動源を停止・稼働を可能にした制御機能が折り込まれており、使用電力の大幅な削減を可能とした。
【産業上の利用可能性】
【００２６】
この発明によると、下水道管改築工事において使用する電源の制御方法の技術を確立し、これに基づいて大量に製造・販売することにより産業上の利用可能性がある。
【符号の説明】
【００２７】
１  真空制御ユニット
２  真空タンクユニット
３  宅内桝
４  発電機
５  バッテリー
６  制御盤
７  真空ポンプ
８  排送ポンプ
９  パスカルバルブ
10  止水用マルチＶボール
Ｘ  下水道の本管
【図１】
2014141780.tif 000003
【図２】
2014141780.tif 000004
【図３】
2014141780.tif 000005